(57)【特許請求の範囲】
【請求項１】
溝形鋼を上下枠材とし、リップ溝形鋼を縦部材とし、木質面材を取り付けた鋼製壁パネルからなる壁構面を形成し、屋根勾配に一致する勾配を上面に付した接合部木材を溝形鋼凹部内に固定した通し部材を該壁構面上端に取付け、木枠材と発泡樹脂系断熱材を木質面材で挟んだ構造用断熱複層板からなる屋根構面を前記接合部木材に止め付けたことを特徴とする壁構面と屋根構面との連結構造。
【請求項２】
前記通し部材は、前記溝形鋼のウエブ外面にリップ溝形鋼を背中合わせに結合した構造を備えたことを特徴とする請求項１記載の壁構面と屋根構面との連結構造。
【請求項３】
前記通し部材は、前記溝形鋼のウエブ外面にリップ溝形鋼を背中合わせに結合した構造の溝形鋼とリップ溝形鋼との間に、別のリップ溝形鋼を介装し、該別のリップ溝形鋼はフランジを前記溝形鋼とリップ溝形鋼のウエブに結合した構造を備えたことを特徴とする請求項２記載の壁構面と屋根構面との連結構造。
【請求項４】
前記通し部材は、前記溝形鋼のウエブ外面にリップ溝形鋼を背中合わせに結合した構造の溝形鋼とリップ溝形鋼との間に別のリップ溝形鋼を介装し、該別のリップ溝形鋼は多数の柱状の縦部材として軸直交端面を前記溝形鋼とリップ溝形鋼のウエブに結合した構造を備えたことを特徴とする請求項２記載の壁構面と屋根構面との連結構造。
【請求項５】
前記通し部材は、前記溝形鋼のウエブ外面に該ウエブ幅と同等のフランジを持つ別の溝形鋼のフランジを当接させ、該別の溝形鋼の内部に補強材を配設した構造を備えたことを特徴とする請求項１記載の壁構面と屋根構面との連結構造。
【請求項６】
前記壁構面を妻面にも形成し、該妻面の壁構面に屋根構面を止め付けたことを特徴とする請求項１〜５の何れかに記載の壁構面と屋根構面との連結構造。
【発明の詳細な説明】
【０００１】
【発明の属する技術分野】
本発明は鋼製の枠組みと木質の面材からなる鋼製耐力壁パネルを用いた建築物において、壁構面はスチールハウス構造とし、屋根構面に木枠材と発泡樹脂系断熱材を木質面材で挟んだ構造用断熱パネルを使用する場合の壁構面と屋根構面との連結構造に関するものである。スチールハウスとは、薄板軽量形鋼造の建築物のうち、壁式構造の建築物をいう。薄板軽量形鋼とは肉厚２．３ｍｍ未満の鋼構造材である。
【０００２】
【従来の技術】
鋼製壁パネルを用いた建築物の基本的な構造として、耐力壁パネルを連接固定して構成した壁構面上部に通し部材を取付け、その上部に屋根トラスを設置する技術がある（例えば、特許文献１参照。）。この技術は、小屋裏を居住空間として利用することについては考慮されていない。
【０００３】
また、木造住宅において、木造で同様の壁パネルを用いた建築物の基本的構造がある。この構造は、工場で枠組みした壁組をねじ止めで組立て、屋根は天井根太パネルと屋根トラスと屋根パネルをねじ止めし、外壁にサイデイングを取付け金具と交互に係合する構造である（例えば、特許文献２参照。）。この構造は、壁構面や小屋組トラスが鋼製の枠材を使用した建築物において壁構面と屋根パネルを構造的連続性を持たせる接合が難しく、また天井面に天井根太を設置するため直下階と連続性を持たせた広い空間を構成することが難しくなる。
【０００４】
また、小屋裏を居住空間として利用する屋根構造も種々開示されており、例えば多数の束材と三角トラスで屋根パネルを支持する構造がある（例えば、特許文献３参照。）。この技術では屋根構面を支持するための束材および外壁と小屋裏空間との間に三角トラスが必要であり、更に小屋裏直下の階に束および三角トラスを支持する梁と壁又は柱が必要である。従って小屋裏空間が利用できるものの、直下階の空間が制限されるてしまう。また、部材数・接合数が多くなり、施工が煩雑となる。
【０００５】
また、屋根直下に一旦床構面を構成しその上の小屋裏には三角形のトラスおよび間仕切壁を配置した構造がある（例えば、特許文献４参照。）。この構造では小屋裏を構成する構面が多く施工が煩雑となると共に、直下階と連続性を持たせた広い空間を構成することが難しくなる。また、部材数・接合数が多くなり、施工が煩雑となる。
【０００６】
トラス間隔を広げて小屋裏空間を構成し、屋根からの荷重を支持する点が極端に少なく、トラスおよび屋根梁組み立て枠と束材と束材に取付く受け材で支持する構造もある（例えば、特許文献５参照。）。この構造ではトラス直下に設けた梁などに過大な荷重が作用する。部材数は少ないものの、過大な荷重を受けるため部材強度を向上させる必要がある。
【０００７】
小屋裏空間の天井構造部材と小屋裏空間の壁構造部材を兼ねた小屋トラスがある（例えば、特許文献６参照。）。この技術では小屋裏には矩形の長細い空間しか確保できず、前記と同様に直下階と連続性を持たせた広い空間を構成することができない。
【０００８】
以上のような従来技術では小屋裏空間を有効に利用することが困難である。一方、トラスや屋根梁等の設置を極力低減することが可能な屋根パネルとして、木枠材と発泡樹脂系断熱材とを木質面材で挟んだ構造用断熱複層板がある。例えば、米国のＡＦＭ社により開発されたＲコントロールパネルは、ＥＰＳ（発泡形成ポリスチレン）を芯材に、広葉樹・アスペンをチップにして接着剤でプレス成型した構造用面材「ＯＳＢ（オリエンテッド・ストランド・ボード）」を、両面から接着したサンドイッチパネル構造のパネルがある（例えば、非特許文献１参照。）。このような優れた強度を有している屋根パネルを用いると前記のトラスや屋根梁を極力低減することができる。
【０００９】
【特許文献１】
特開平０９−６０１９３号公報（第２−３頁、図３）
【特許文献２】
特許第３０１８２２２号公報（第２−５頁、図３）
【特許文献３】
特開平０６−０３３５３７号公報（第２−３頁、図２）
【特許文献４】
特開平０９−１５１５６３号公報（第２−４頁、図１）
【特許文献５】
特開平０６−２１２７２７号公報（第２−３頁、図４）
【特許文献６】
特開２０００−９６７５９号公報（第２−４頁、図１）
【非特許文献１】
株式会社Ｒコントロールホームズ：『Ｒコントロールパネルガイドブック』
【００１０】
【発明が解決しようとする課題】
スチールハウスの屋根パネルとして、上述のような構造用断熱複層板を使用する際に、スチールハウス構造の壁構面と、構造用断熱複層板から成る屋根構面との連結構造については、従来、具体的な連結構造が提案されていなかった。
【００１１】
本発明は、構造用断熱複層板を屋根パネルとしてスチールハウスに用いる場合に、小屋裏空間を有効に利用することができるようにすることを主眼とし、この要請に適合した、壁構面と屋根構面との新規な連結構造を提供することを目的とする。
【００１２】
【課題を解決するための手段】
本発明は上記目的を達成するためになされたもので、その技術手段は、溝形鋼を上下枠材とし、リップ溝形鋼を縦部材とし、木質面材を取り付けた鋼製壁パネルからなる壁構面を形成し、屋根勾配に一致する勾配を上面に付した接合部木材を溝形鋼凹部内に固定した通し部材を該壁構面上端に取付け、木枠材と発泡樹脂系断熱材を木質面材で挟んだ構造用断熱複層板からなる屋根構面を前記接合部木材に止め付けたことを特徴とする壁構面と屋根構面との連結構造である。
【００１３】
前記鋼製壁パネルは一般には矩形形状を有するものであるが、台形、三角形、これらの組合わせ、その他の形状のものであってもよく、形状を問わない。
【００１４】
本発明においては、壁構面は上下枠材と縦部材と木質面材とから構成されている。上下枠材は厚さ１．６ｍｍ以下の断面形状がコの字形の形鋼（以下溝形鋼）を略長方形の壁構面の上下の対向２辺に枠材として配置している。この上下枠材に直交して厚さ１．６ｍｍ以下の断面形状がＣの字形の形鋼（以下リップ溝形鋼）を略等間隔に縦部材として配置接合して枠体が構成されている。この枠体に木質面材を取り付けて鋼製壁パネルが構成されている。この鋼製壁パネルを基礎、土台あるいは床構面の上に連設固定して、柱を設置することなく壁構面を構成する。
【００１５】
この壁構面の上部に通し部材が載置される。この通し部材は、厚さ１．６ｍｍ以下の溝形鋼を断面開口側を上に向け、この溝形鋼の溝内に、屋根勾配と一致する勾配を上面に付した接合部木材を差し込んでこの接合部木材をタッピングねじやボルトで溝形鋼に固定してある。
【００１６】
一方屋根構面は、木枠材と発泡樹脂系断熱材を木質面材で挟んだ構造用断熱複層板（以下構造用屋根パネル）となっている。この構造用屋根パネルを上記通し部材の接合部木材の上に載せ、この通し部材の接合部木材にタッピングねじゃスクリューくぎで止め付けて壁構面と屋根構面とを連結した構造である。
【００１７】
本発明の第２の発明は、上記構造と全体的には同様であるが、前記通し部材は、前記溝形鋼のウエブ外面にリップ溝形鋼を背中合わせに結合した構造を備えたことを特徴とする壁構面と屋根構面との連結構造である。
【００１８】
すなわち、上記連結構造において、前記通し部材を次のようにした。厚さ１．６ｍｍ以下の溝形鋼の断面開口側を上に向け、厚さ１．６ｍｍ以下のリップ溝形鋼の断面開口側を下に向けてそれぞれの断面閉鎖側を合わせて接合し、溝形鋼側に屋根勾配と一致する勾配を上面に付した接合部木材を差し込み、タッピングねじやボルトで緊結して構成したものである。この通し部材は堅固な梁を兼ねる通し部材となり、壁構面の風圧に対する面外の変形を抑えることができ、更に接合用木材の材積を小さくすることも可能となり、通し部材の重量を軽くすることも可能である。
【００１９】
次に本発明の第３の発明は、前記通し部材は、前記溝形鋼のウエブ外面にリップ溝形鋼を背中合わせに結合した構造の溝形鋼とリップ溝形鋼との間に別のリップ溝形鋼を介装し、該別のリップ溝形鋼はフランジを前記溝形鋼とリップ溝形鋼のウエブに結合した構造を備えたことを特徴とした壁構面と屋根構面との連結構造である。
【００２０】
また、前記通し部材が、溝形鋼の断面開口側を上に向け、リップ溝形鋼の断面開口側を下に向け配置し、この溝形鋼とリップ溝形鋼との間に、別の同じ長さのリップ溝形鋼を挟みこんでタッピングねじやボルトで接合した部材としたもので、堅固な梁を兼ねる通し部材となり、壁構面の風圧に対する面外の変形を抑えることができる。
【００２１】
次に、本発明の第４の発明は、前記通し部材が、前記溝形鋼のウエブ外面にリップ溝形鋼を背中合わせに結合した構造の溝形鋼とリップ溝形鋼との間に別のリップ溝形鋼を介装し、この別のリップ溝形鋼は多数の柱状の縦部材として軸直交端面を前記溝形鋼とリップ溝形鋼のウエブに結合した構造を備えたことを特徴とする壁構面と屋根構面との連結構造である。
【００２２】
この構造は、上記第２の発明の構造において、更に前記通し部材を改善したものである。厚さ１．６ｍｍ以上の溝形鋼の断面開口側を上に向け、厚さ１．６ｍｍ以下のリップ溝形鋼の断面開口側を下に向けてそれぞれの断面閉鎖側を対向させ、この溝形鋼とリップ溝形鋼の間に更に厚さ１．６ｍｍ以下の溝形鋼を略長方形の対向２辺に配置し、これに直交してリップ溝形鋼を略等間隔に縦部材として配置接合した矩形枠体を挟みこんでタッピングねじやボルトで接合した部材とすれば、階高を高く調整したり、壁構面上に床構面を部分的に設けた時の吹き抜け部分の高さ調整を容易に可能とでき、前記同様接合用木材の材積を小さくすることも可能となり、通し部材の重量を軽くすることも可能である。
【００２３】
さらに、前記通し部材は、前記溝形鋼のウエブ外面に該ウエブ幅と同等のフランジを持つ別の溝形鋼のフランジを当接させ、該別の溝形鋼の内部に補強材を配設した構造を備えたものとしてもよい。
【００２４】
なお、前記壁構面を妻面にも形成し、妻面の壁構面に屋根構面を止め付けた連結構造としてもよい。このような構造は、屋根が寄せ棟構造となっている場合に、最も普通に生ずる。その他の場合としては、棟が傾斜した構造の屋根の場合、妻側に下屋を設ける場合、又は片屋根等の場合にも生ずる。
【００２５】
前記鋼製壁パネルは下部を基礎、土台あるいは床構面の上に連設固定して壁構面を構成し、複層階建屋では最上階壁構面上部に前記通し部材に接合し、この上部に構造用屋根パネルが設置される。建築物の平面計画によっては部分的に小屋組トラスや構造用屋根パネル端部を支持する三角枠体を設けても良い。
【００２６】
このような構成で建屋を構成することで小屋裏空間に構造部材の露出が無く、また天井水平構面を構成することなく居室空間を小屋裏空間まで拡張して利用することが可能となる。
【００２７】
【発明の実施の形態】
本発明の連結構造は、スチールハウス構造の壁の上部に構造用屋根パネルである木枠材と発泡樹脂系断熱材を木質面材で挟んだ屋根用構造用断熱複層板を取り付ける接合部材の連結構造である。
【００２８】
以下図面を参照して実施例を説明する。
【００２９】
図１７は本発明に係る建築物の構造を示す斜視図で、壁構面１０、通し部材２０、屋根構面４０、三角妻壁枠体５０を示している。壁構面１０の上端に取付けられている通し部材２０は溝形鋼２１と接合部木材２２とから成り、屋根の勾配に一致する勾配を上面に付した接合部木材２２を溝形鋼２１の溝内に固定している。屋根構面４０は木材枠と発泡樹脂系断熱材を木質面材で挟んだ構造用断熱複層板から構成され、前記接合部木材２２にタッピングねじ又はスクリューくぎ４２を用いて止め付けられている。
【００３０】
図１は本発明の実施例の壁構面１０と屋根構面４０との連結構造を示す建築物の一部破断斜視図である。壁構面１０は土台６０上に立設され、その上端に通し部材２０を取付け、その通し部材２０に屋根構面４０を取付けている。
【００３１】
図２は壁構面１０と通し部材２０との結合を示す一例で、壁構面１０の上枠材１１上に溝形鋼２６を載せ、この溝形鋼２６中に、通し部材２０を挿入して止めつける。通し部材２０は溝形鋼２１の下面にリップ溝形鋼２５を取付け、溝形鋼２１の溝内に接合用木材２２を挿入固定し、この接合用木材２２に図示しない屋根構面を取付ける構造となっている。
【００３２】
以下、本発明に係る壁構面、通し部材、屋根構面、妻壁枠体について順次説明する。本発明に係る壁構面１０の構造を図３、図４に分解斜視図で示した。厚さ１．６ｍｍ以下の溝形鋼からなる上枠材１１と下枠材１２との間に、リップ溝形鋼からなる縦部材１３、枠材１４を配設して壁構面１０の枠体を構成する。これらの部材は、工場または工事現場にてタッピングねじ、溶接、又は常温速硬型の構造用接着材で連結される。タッピングねじとしては、例えば４．８ｍｍ径×長さ１６ｍｍのものを用い、常温速硬型の構造用接着材としては、例えば、粘度８０００ｍＰａ・ｓ／ｃｐｓ２５℃程度のアクリル系接着剤を用いる。
【００３３】
次に、図４に示すように、壁構面１０の矩形枠体に木製の面材１５を、矢印１６で示すように取り付けて、鋼製耐力壁構面を構成する。この木製の面材１５としては、例えば、厚さ９ｍｍの構造用パネルを用いる。取付けは、例えば４．２ｍｍ径×長さ３５ｍｍのタッピングねじ又は、例えば、３．０ｍｍ径×長さ３８ｍｍのスクリューくぎを用いて取り付ける。
【００３４】
図５はこれらの壁構面１０の上部に通し部材２０を取り付ける工程を示している。通し部材２０は壁構面１０の上枠材１１の上部に接合部組み立て材（接合用木材）を受ける厚さ１．６ｍｍ以下の溝形鋼２１を載せその開口側を上に向け、その溝内に屋根勾配に一致する勾配を付した接合用木材２２を差し込み、接合部組み立て材受け溝形鋼２１と接合用木材２２相互は、タッピングねじ（例えば４．８ｍｍ径×長さ３５ｍｍ）やボルトで緊結し、通し部材２０として壁構面１０と屋根構面４０との連結部を構成する。
【００３５】
通し部材２０の変形例を図６，図７に示した。図６（ａ）に示すように、溝形鋼２１の断面開口側を上に向け、リップ溝形鋼２５の断面開口側を下に向けてそれぞれの断面閉鎖側を背中合わせにしてタッピングねじで接合し、溝形鋼２１の溝内に接合部木材２２を差し込み、緊結して接合部組み立て材（通し部材）２０を構成してもよい。このとき、壁構面１０上部には、図６（ｂ）に示すように、接合部組み立て材受け溝形鋼２６を断面開口側を上に向けて設置し、これに通し部材２０のリップ溝形鋼２５を図７に矢印２９で示すように差込み、タッピングねじ２７（例えば４．８ｍｍ径×長さ１６ｍｍ）を矢印２８で示すように打込んで緊結する。このように構成すれば、形鋼の組み合わせ部分により接合用木材２２の材積を小さくすることができ、同時に堅固な桁を兼ねる通し部材となり、壁構面１０の風圧に対する面外の変形を抑えることができる。使用する形鋼の厚さを１．６ｍｍ以下に限定することによって通し部材２０の重量が軽くなり、通し部材２０の上架や取付作業が容易となる。
【００３６】
通し部材２０は、図８に示すように、断面開口側を上に向けた溝形鋼２１と断面開口側を下に向けたリップ溝形鋼２５との間に一辺が床構面高さとほぼ等しい断面をもつ厚さ１．６ｍｍ以下のリップ溝形鋼３１を箱状に組み合わせた部材でかさ上げした接合部組み立て材としてもよい。また、図９に示すように、接合部組み立て材（通し部材）２０は断面開口側を上に向けた溝形鋼２１と断面開口側を下に向けたリップ溝形鋼２５との間に溝形鋼３２、３３を設け、この溝形鋼３２、３３をつなぐリップ溝形鋼３４からなる床構面高さと同等の高さをもつ矩形枠体でかさ上げし、木質面材３５を取付けた接合部組み立て材（通し部材）２０としてもよい。
【００３７】
図１０は、断面開口側を上に向けた溝形鋼２１と断面開口側を下に向けたリップ溝形鋼２５との間に、フランジ３７の幅が上下溝形鋼２１，２５の背面幅とほぼ等しい溝形鋼３６を、フランジ３７が上下溝形鋼２１，２５の背面に当接するようにかさ上げを行った通し部材２０を示している。溝形鋼３６の内部に補強材３８を取付けると好適である。木質面材３５を取付けてもよい。
【００３８】
小屋裏空間直下の一部に床構面を設けたい場合、壁構面の上に床構面を上架する必要があるが、床構面を設ける部分と設けない部分とに床構面高さ分の段差が生ずる。この段差は前記通し部材２０を図６〜図１０に示すようにかさ上げすることによって解消することができる。
【００３９】
以上の何れかの通し部材２０に、図１１に示すように、構造用屋根構面４０を上架しタッピングねじ又はスクリューくぎ４２で、矢印４３で示すように止め付けて壁構面１０と屋恨構面４０とを連結する。
【００４０】
図１２は連結後の組立図を示している。図１２に示すように、棟部分においては、厚さ１．６ｍｍ以下の溝形鋼とリップ溝形鋼からなる組み立て棟梁４５の上部に厚さ１．６ｍｍ以下の接合部組み立て材受け溝形鋼４６の開口側を上にして取り付け、屋根勾配と一致する勾配を上面に付した接合用木材４７を差し込んだ接合部組み立て材を設置し、前記と同様に構造用屋根構面４０を載せ、タッピングねじやスクリューくぎで止め付けて組み立てればよい。
【００４１】
切妻屋根の妻面で構造用屋根構面４０を妻壁で支持させる場合、図１３に示すように、鋼製壁構面と同様に厚さ１．６ｍｍ以下の溝形鋼とリップ溝形鋼から成る構面として妻壁三角枠体５０を構成し、この三角枠体５０の上部に厚さ１．６ｍｍ以下の接合部組み立て材受け溝形鋼５１の開口側を上にし、その溝内に接合用木材５２を矢印５４で示すように差し込み、三角枠体５０の上部の接合部組み立て材受け溝形鋼と接合木材相互を、タッピングねじやボルトで緊結して三角枠体５０と屋根構面との接合部を構成する。次いでこれを矢印５３で示すように三角枠体５０上に取り付ける。図１４は三角枠体５０の組立後の状態を示している。この妻壁構面（三角枠体５０）の上部に図示省略した構造用屋根構面を載せ、タッピングねじやスクリューくぎで止め付けて連結すればよい。この三角枠体５０は厚さ１．６ｍｍ以下の溝形鋼とリップ溝形鋼からなる小屋トラスにすることも可能である。
【００４２】
なお図１４のＡ−Ａ矢視を図１６に示した。図１６には屋根構面４０も示している。図１６は屋根構面４０が妻側に対しても勾配を有する場合に、屋根構面４０の妻側に対する勾配と一致する傾斜面を接合用木材５２の上面に形成すればよいことを示している。
【００４３】
図１５は、図１３、図１４に示す三角枠体に代えて台形枠体５５を用いる場合を示している。接合部組立て材受け溝形鋼５１、接合用木材５２の組立て屋根構材との取付けは図１３、図１４と同様である。なお、台形枠体５５の上に小さな三角枠体を載せて、全体として三角枠体とすることもできる。また、屋根構面が妻壁側にも下り勾配となっている場合には、図１５のＢ−Ｂ矢視図も図１６に示したようになる。
【００４４】
図１８は寄せ棟構造の妻壁構面７０に屋根構面７１を支持させる構造を示すもので、妻壁構面７０の上端に、通し部材２０を設け、妻壁構面７０と屋根構面７１の構造を壁構面１０と屋根構面４０との接合構造と同様に構成することを示したものである。妻壁構面７０は、図１８に示すように、矩形であってもよく、さらに図１３〜１５に示すような三角枠体や台形枠体を組み合わせた任意の形状のものでもよい。
【００４５】
【発明の効果】
本発明によれば、断熱材を組み込んだ木質構造用断熱複層板を屋根構面に使用することが可能になり、三角枠体を主として妻面に用いて相互間隔を広くとることができ、小屋裏空間に構造部材の露出が無く、また天井水平構面を構成することなく居室空間を小屋裏空間まで拡張して利用することが可能になった。また、煩雑な小屋組みの施工を省力することができ、上棟と同時に、屋根面の断熱も確保され、躯体工事および断熱工事の省力化を図ることができ、工期短縮を実現することができる。また、壁と小屋との間に溝形鋼と接合用木材の複合部位や溝形鋼およびリップ溝形鋼を箱状に組み合わせた組立て通し部材を挟み込むことによって、壁構面が風等による面外方向の変形を拘束する効果も期待することができる。また断熱材が組み込まれた構造用屋根構面を止めつけるタッピングねじやスクリューくぎが直接形鋼に接触しないため、屋根面において熱橋ができず、断熱性能の欠損も回避できるという効果がある。
【図面の簡単な説明】
【図１】実施例の壁構面と屋根構面の連結構造を示す建築物の一部破断斜視図である。
【図２】実施例の壁構面と通し部材の結合を示す説明図である。
【図３】実施例の壁構面の分解斜視図である。
【図４】実施例の壁構面の分解斜視図である。
【図５】実施例の壁構面と通し部材の取付け工程を示す斜見図である。
【図６】実施例の通し部材の取付け工程を示す縦断面図である。
【図７】実施例の通し部材の取付け工程を示す斜視図である。
【図８】実施例の通し部材を示す斜視図である。
【図９】実施例の通し部材を示す斜視図である。
【図１０】実施例の通し部材を示す斜視図である。
【図１１】実施例の屋根構面の取付け工程を示す斜視図である。
【図１２】実施例の屋根縦断面図である。
【図１３】実施例の妻壁の斜視図である。
【図１４】実施例の妻壁の斜視図である。
【図１５】他の実施例の妻壁の斜視図である。
【図１６】図１５のＡ−Ａ矢視断面図である。
【図１７】実施例の建築物の全体構造を示す斜視図である。
【図１８】実施例の建築物の全体構造を示す斜視図である。
【符号の説明】
１０    壁構面
１１    上枠材
１２    下枠材
１３    縦枠材
１４    枠材
１５    木質面材（木製の面材）
１６    矢印
２０    通し部材
２１    溝形鋼
２２    接合用木材
２５    リップ溝形鋼
２６    溝形鋼
３１、３４    リップ溝形鋼
３２、３３、３６    溝形鋼
３５    木質面材
４０    屋根構面
４１    矢印
４２    タッピングねじ又はスクリューくぎ
４５    棟梁
４６    溝形鋼
４７    接合用木材
５０    三角枠体
５１    溝形鋼
５２    接合用木材
５３、５４    矢印
５５    台形枠体
６０    土台
７０    妻壁構面
７１    屋根構面
【図１】
0003979284.tif 000002
【図２】
0003979284.tif 000003
【図３】
0003979284.tif 000004
【図４】
0003979284.tif 000005
【図５】
0003979284.tif 000006
【図６】
0003979284.tif 000007
【図７】
0003979284.tif 000008
【図８】
0003979284.tif 000009
【図９】
0003979284.tif 000010
【図１０】
0003979284.tif 000011
【図１１】
0003979284.tif 000012
【図１２】
0003979284.tif 000013
【図１３】
0003979284.tif 000014
【図１４】
0003979284.tif 000015
【図１５】
0003979284.tif 000016
【図１６】
0003979284.tif 000017
【図１７】
0003979284.tif 000018
【図１８】
0003979284.tif 000019